(57)【特許請求の範囲】
【請求項１】
中心軸を有する本体部と、
天面を有し、前記中心軸を中心にして回転可能に前記本体部に接続された天板部と、
前記中心軸に平行に延びる回転軸を有し、前記回転軸を中心にして回転可能に前記天板部の前記天面に配置された第１取っ手部および第２取っ手部とを備え、
前記第１取っ手部は、前記中心軸に対して前記第２取っ手部と対称に配置されている、サイドテーブル。
【請求項２】
スラスト軸受をさらに備え、
前記スラスト軸受は、前記本体部に取り付けられた第１軌道部材と、前記天板部に取り付けられかつ前記第１軌道部材に向かい合う第２軌道部材と、前記第１軌道部材と前記第２軌道部材との間に配置された複数の転動体とを含み、
前記複数の転動体は、前記第１軌道部材および前記第２軌道部材に接触しつつ転動するように構成されている、請求項１に記載のサイドテーブル。
【請求項３】
前記天板部は、前記天面の外側に配置された外縁部を含み、
前記外縁部は、前記天面の全周にわたって配置されている、請求項１または２に記載のサイドテーブル。
【請求項４】
前記外縁部は、第１突出部を含み、
前記第１突出部は、前記天面よりも上方に突き出している、請求項３に記載のサイドテーブル。
【請求項５】
前記第１取っ手部および前記第２取っ手部は、前記第１突出部よりも上方に突き出している、請求項４に記載のサイドテーブル。
【請求項６】
前記外縁部は、第２突出部を含み、
前記第２突出部は、前記本体部の上端よりも下方に突き出している、請求項３〜５のいずれか１項に記載のサイドテーブル。
【発明の詳細な説明】
【技術分野】
【０００１】
本発明は、サイドテーブルに関するものである。
【背景技術】
【０００２】
従来、椅子またはソファなどの横に置かれるサイドテーブルが用いられている。サイドテーブルは、たとえば実用新案登録第３２１２７８０号公報（特許文献１）に記載されている。
【先行技術文献】
【特許文献】
【０００３】
【特許文献１】実用新案登録第３２１２７８０号公報
【発明の概要】
【発明が解決しようとする課題】
【０００４】
パーソナルコンピュータを用いた作業などによって肩回りの筋肉が固くなる肩こりが問題となっている。肩甲骨可動域を向上させることにより肩こりを改善することができる。上記公報に記載されたサイドテーブルでは、肩甲骨可動域を向上させることは想定されていない。
【０００５】
本発明は、上記課題に鑑みてなされたものであり、その目的は、肩甲骨可動域を向上させることができるサイドテーブルを提供することである。
【課題を解決するための手段】
【０００６】
本発明のサイドテーブルは、本体部と、天板部と、第１取っ手部および第２取っ手部とを備えている。本体部は、中心軸を有する。天板部は、天面を有し、中心軸を中心にして回転可能に本体部に接続されている。第１取っ手部および第２取っ手部は、中心軸に平行に延びる回転軸を有し、回転軸を中心にして回転可能に天板部の天面に配置されている。第１取っ手部は、中心軸に対して第２取っ手部と対称に配置されている。
【発明の効果】
【０００７】
本発明のサイドテーブルによれば、天板部は、中心軸を中心にして回転可能に本体部に接続されている。第１取っ手部および第２取っ手部は、回転軸を中心にして回転可能に天板部の天面に配置されている。第１取っ手部は、中心軸に対して第２取っ手部と対称に配置されている。このため、使用者が両手で第１取っ手部および第２取っ手部を掴んだまま両手を体の前で交差させることにより、肩回りの筋肉を伸ばすことで肩甲骨可動域を向上させることができる。
【図面の簡単な説明】
【０００８】
【図１】本発明の実施の形態に係るサイドテーブルの天面側から見た構成を概略的に示す斜視図である。
【図２】本発明の実施の形態に係るサイドテーブルの底面側から見た構成を概略的に示す斜視図である。
【図３】本発明の実施の形態に係るサイドテーブルの構成を概略的に示す平面図である。
【図４】本発明の実施の形態に係るサイドテーブルの構成を概略的に示す正面図である。
【図５】図３のＶ−Ｖ線に沿う断面図である。
【図６】本発明の実施の形態に係るサイドテーブルの天面側から見た構成を概略的に示す分解斜視図である。
【図７】本発明の実施の形態に係るサイドテーブルの第１取っ手部および第２取っ手部を使用者が両手で掴んだ状態を概略的に示す斜視図である。
【図８】本発明の実施の形態に係るサイドテーブルの第１取っ手部および第２取っ手部を使用者が両手で掴んだまま体の前で両手を交差させた状態を概略的に示す斜視図である。
【図９】本発明の実施の形態に係るサイドテーブルの第１取っ手部を使用者が片手で掴んで手を伸ばした状態を概略的に示す斜視図である。
【図１０】本発明の実施の形態に係るサイドテーブルの第１取っ手部を使用者が片手で掴んで手を曲げた状態を概略的に示す斜視図である。
【発明を実施するための形態】
【０００９】
以下、図面を参照して本発明の実施の形態を説明する。なお、特に言及しない限り、以下の図面において同一または対応する部分には同一の参照符号を付し、その説明を繰り返さない。
【００１０】
図１〜図６を参照して、本実施の形態に係るサイドテーブル１の構成について説明する。図１は、本実施の形態に係るサイドテーブル１の正面部、平面部、右側面部を示している。図２は、本実施の形態に係るサイドテーブル１の背面部、底面部、左側面部を示している。
【００１１】
図１および図２に示されるように、本実施の形態に係るサイドテーブル１は、椅子またはソファなどの横に置かれ、本などを載せるように構成されている。本実施の形態に係るサイドテーブル１は、本体部１０と、天板部２０と、第１取っ手部３１と、第２取っ手部３２とを備えている。以下では、適宜、図１に示されるように、本体部１０が下側に位置し、天板部２０が上側に位置した状態を基準にして、上下方向が規定される。
【００１２】
本体部１０は、中心軸ＣＡを有している。本体部１０は、中心軸ＣＡに沿って延びている。本体部１０は、略円柱形状に構成されている。本体部１０は、平面視において略円形状に構成されている。
【００１３】
本体部１０は、周壁部１１および底面部１２を有している。周壁部１１は、中心軸ＣＡを中心として本体部１０の全周にわたって設けられている。底面部１２は、周壁部１１の下端に接続されている。底面部１２は、平面視において略円形状に構成されている。本体部１０の材料は、たとえば中密度繊維板（MDF：medium density fiberboard）である。本体部１０の重量は、天板部２０の重量よりも重い。
【００１４】
天板部２０は、中心軸ＣＡを中心にして回転可能に本体部１０に接続されている。天板部２０は、本体部１０に対して回転するように構成されている。天板部２０は、略円盤状に構成されている。天板部２０は、平面視において略円形状に構成されている。天板部２０の直径は、たとえば３５ｃｍ以上５５ｃｍ以下である。天板部２０の直径は、具体的には、たとえば４６ｃｍであってもよい。本体部１０の下端から天板部２０の上端までの高さは、たとえば３８ｃｍである。天板部２０の材料は、たとえば中密度繊維板（MDF：medium density fiberboard）である。
【００１５】
天板部２０は、平板部２１および外縁部２２を有している。平板部２１は、一枚の平らな板状に構成されている。平板部２１は、天面２１ａを有している。天面２１ａは、平板部２１の本体部１０とは反対側の面である。天面２１ａは、平面状に構成されている。天面２１ａは、平面視において略円形状に構成されている。天面２１ａは、本体部１０の上方に配置されている。天面２１ａは、本体部１０の周壁部１１の全周を覆っている。
【００１６】
外縁部２２は、天面２１ａの外側に配置されている。外縁部２２は、平面視において略円環状に構成されている。外縁部２２は、天面２１ａの全周にわたって配置されている。外縁部２２の平面視での幅は、外縁部２２の上下方向の幅よりも小さい。
【００１７】
第１取っ手部３１および第２取っ手部３２は、回転軸ＲＡを有している。回転軸ＲＡは、中心軸ＣＡに平行に延びている。第１取っ手部３１および第２取っ手部３２は、回転軸ＲＡを中心にして回転可能に天板部２０の天面２１ａに配置されている。第１取っ手部３１および第２取っ手部３２は、天板部２０の天面２１ａに対して回転するように構成されている。第１取っ手部３１および第２取っ手部３２の各々は、天板部２０の天面２１ａの面内方向に回転するように構成されている。
【００１８】
第１取っ手部３１および第２取っ手部３２の各々は、略円盤状に構成されている。第１取っ手部３１および第２取っ手部３２の各々は、平面視において略円形状に構成されている。第１取っ手部３１および第２取っ手部３２は同じ形状を有している。
【００１９】
回転軸ＲＡは、第１軸ＲＡ１および第２軸ＲＡ２を含んでいる。第１取っ手部３１は、第１軸ＲＡ１を有している。第１取っ手部３１は、第１軸ＲＡ１を中心にして回転可能に構成されている。第２取っ手部３２は、第２軸ＲＡ２を有している。第２取っ手部３２は、第２軸ＲＡ２を中心にして回転可能に構成されている。
【００２０】
図１および図３を参照して、第１取っ手部３１は、中心軸ＣＡに対して第２取っ手部３２と対称に配置されている。具体的には、第１取っ手部３１は、中心軸ＣＡに対して第２取っ手部３２と点対称に配置されている。第１取っ手部３１、中心軸ＣＡおよび第２取っ手部３２は、一直線上に並んで配置されている。第１取っ手部３１から中心軸ＣＡまでの直線距離は、第２取っ手部３２から中心軸ＣＡまでの直線距離と等しい。第１取っ手部３１から中心軸ＣＡまわりに１８０度回転した位置に第２取っ手部３２は配置されている。第１取っ手部３１の第１軸ＲＡ１から第２取っ手部３２の第２軸ＲＡ２までの直線距離はたとえば２５ｃｍ以上４５ｃｍ以下である。第１取っ手部３１の第１軸ＲＡ１から第２取っ手部３２の第２軸ＲＡ２までの直線距離は、具体的には、たとえば３１ｃｍである。
【００２１】
図４および図５を参照して、外縁部２２は、第１突出部２２ａおよび第２突出部２２ｂを含んでいる。第１突出部２２ａは、天面２１ａよりも上方に突き出している。第２突出部２２ｂは、本体部１０の上端よりも下方に突き出している。
【００２２】
第１取っ手部３１および第２取っ手部３２は、第１突出部２２ａよりも上方に突き出している。第１取っ手部３１および第２取っ手部３２の上端は、平面状に構成されている。第１取っ手部３１および第２取っ手部３２の平面状に構成された上端は、第１突出部２２ａよりも上方に突き出している。
【００２３】
図５および図６を参照して、平板部２１には２つの貫通孔２１ｂが設けられている。２つの貫通孔２１ｂの各々には２つの筒状部材２１ｃの各々がそれぞれ嵌合されている。２つの筒状部材２１ｃの各々の上端側および下端側に２つのワッシャ部材２１ｄがそれぞれ配置されている。
【００２４】
第１取っ手部３１は、天面２１ａ上に配置されている。第１取っ手部３１には、１つの筒状部材２１ｃおよび２つのワッシャ部材２１ｄに挿入されたネジ３１ａが螺号している。ネジ３１ａの軸部は、１つの筒状部材２１ｃおよび２つのワッシャ部材２１ｄに挿入されている。ネジ３１ａの頭部は、２つのワッシャ部材２１ｄのうち下側のワッシャ部材２１ｄの下方に配置されている。第１取っ手部３１とネジ３１ａの頭部との間に１つの筒状部材２１ｃおよび２つのワッシャ部材２１ｄが挟まれている。筒状部材２１ｃの内側でネジ３１ａの軸部が回転することによりネジ３１ａに取り付けられた第１取っ手部３１が第１軸ＲＡ１を中心にして回転する。
【００２５】
第２取っ手部３２は、天面２１ａ上に配置されている。第２取っ手部３２には、１つの筒状部材２１ｃおよび２つのワッシャ部材２１ｄに挿入されたネジ３２ａが螺号している。ネジ３２ａの軸部は、１つの筒状部材２１ｃおよび２つのワッシャ部材２１ｄに挿入されている。ネジ３２ａの頭部は、２つのワッシャ部材２１ｄのうち下側のワッシャ部材２１ｄの下方に配置されている。第１取っ手部３１とネジ３２ａの頭部との間に１つの筒状部材２１ｃおよび２つのワッシャ部材２１ｄが挟まれている。筒状部材２１ｃの内側でネジ３２ａの軸部が回転することによりネジ３２ａに取り付けられた第２取っ手部３２が第２軸ＲＡ２を中心にして回転する。
【００２６】
本実施の形態に係るサイドテーブル１は、スラスト軸受４０を備えている。スラスト軸受４０は、回転盤である。スラスト軸受４０は、ボールベアリングである。天板部２０は、スラスト軸受４０を介して本体部１０に接続されている。スラスト軸受４０は、本体部１０の天井部１３と天板部２０の平板部２１との間に配置されている。
【００２７】
スラスト軸受４０は、第１軌道部材４１と、第２軌道部材４２と、複数の転動体４３とを含んでいる。第１軌道部材４１は、本体部１０に取り付けられている。具体的には、第１軌道部材４１は、本体部１０の天井部１３の上面に取り付けられている。第２軌道部材４２は、天板部２０に取り付けられている。具体的には、第２軌道部材４２は、天板部２０の平板部２１の下面に取り付けられている。第２軌道部材４２は、第１軌道部材４１に向かい合っている。
【００２８】
複数の転動体４３は、第１軌道部材４１と第２軌道部材４２との間に配置されている。複数の転動体４３は、第１軌道部材４１および第２軌道部材４２に接触しつつ転動するように構成されている。複数の転動体４３は、ボール（球）である。
【００２９】
第１軌道部材４１および第２軌道部材４２は、複数の転動体４３を介して中心軸ＣＡを中心にして相対的に回転するように構成されている。第２軌道部材４２が第１軌道部材４１に対して相対的に回転することにより、第２軌道部材４２に取り付けられた天板部２０が第１軌道部材４１に取り付けられた本体部１０に対して回転する。
【００３０】
図７〜図１０を参照して、本実施の形態に係るサイドテーブル１を用いた運動について説明する。
【００３１】
図７および図８を参照して、使用者の肩の運動について説明する。この使用者の肩の運動では、使用者が両手で第１取っ手部３１および第２取っ手部３２をそれぞれ掴んで天板部２０を回転させる。図７に示されるように、使用者は軽く肘を曲げて両手で第１取っ手部３１および第２取っ手部３２をそれぞれ掴んでいる。この状態から肩の運動が開始される。この状態から、図８に示されるように、使用者は両手で第１取っ手部３１および第２取っ手部３２を掴んだまま両手を体の前で交差させる。この際、使用者は肩甲骨を意識しながら力を抜いてゆっくりと天板部２０を回転させる。この使用者の肩の運動により肩回りの筋肉を伸ばすことができる。肩回りの筋肉を伸ばすことにより肩甲骨可動域を向上させることができる。
【００３２】
図９および図１０を参照して、使用者の肩の別の運動について説明する。この使用者の肩の別の運動では、使用者が片手で第１取っ手部３１または第２取っ手部３２のいずれかを掴んで天板部２０を回転させる。図９に示されるように、使用者は肘を伸ばして外側の第１取っ手部３１を掴んでいる。この状態から肩の別の運動が開始される。この状態から、図１０に示されるように、使用者は片手で第１取っ手部３１を掴んだまま肘を曲げる。この際、使用者は肩甲骨を意識しながら力を抜いてゆっくりと天板部２０を回転させる。この使用者の肩の別の運動により肩回りの筋肉を伸ばすことができる。肩回りの筋肉を伸ばすことにより肩甲骨可動域を向上させることができる。
【００３３】
次に、本実施の形態に係るサイドテーブル１の作用効果について説明する。
【００３４】
本実施の形態のサイドテーブル１によれば、天板部２０は、中心軸ＣＡを中心にして回転可能に本体部１０に接続されている。第１取っ手部３１および第２取っ手部３２は、回転軸ＲＡを中心にして回転可能に天板部２０の天面２１ａに配置されている。第１取っ手部３１は、中心軸ＣＡに対して第２取っ手部３２と対称に配置されている。このため、使用者が両手で第１取っ手部３１および第２取っ手部３２を掴んだまま両手を体の前で交差させることにより、肩回りの筋肉を伸ばすことで肩甲骨可動域を向上させることができる。
【００３５】
具体的には、肩関節屈曲、肩関節外旋および肩関節内旋の全てにおいて肩甲骨可動域を向上させることができる。
【００３６】
また、本実施の形態に係るサイドテーブル１では、サイドテーブル１によりインテリア性を重視しながら肩回りの筋肉を伸ばすことで肩甲骨可動域を向上させることができる。
【００３７】
また、本実施の形態に係るサイドテーブル１では、天板部２０の天面２１ａにスマートフォン、タブレットおよび本などを載せることができる。さらに、天板部２０の天面２１ａにスマートフォンおよび本などを載せた状態で、肩回りの筋肉を伸ばすことで肩甲骨可動域を向上させることができる。
【００３８】
本実施の形態に係るサイドテーブル１によれば、スラスト軸受４０の第１軌道部材４１が本体部１０に取り付けられ、第２軌道部材４２が天板部２０に取り付けられている。このため、スラスト軸受４０により天板部２０が回転する際の摩擦を低減させることができる。したがって、スラスト軸受４０により天板部２０を滑らかに回転させることができる。
【００３９】
本実施の形態に係るサイドテーブル１によれば、天板部２０の外縁部２２は、天面２１ａの外側に配置されており、天面２１ａの全周にわたって配置されている。このため、外縁部２２が重量体として機能する。したがって、天板部２０が回転する際に遠心力により肩回りの筋肉を伸ばす効果を促進することができる。
【００４０】
本実施の形態に係るサイドテーブル１によれば、外縁部２２の第１突出部２２ａは、天板部２０の天面２１ａよりも上方に突き出している。このため、天板部２０が回転する際に、第１突出部２２ａにより天面２１ａに載せられた本などが天面２１ａから落下することを抑制することができる。
【００４１】
本実施の形態に係るサイドテーブル１によれば、第１取っ手部３１および第２取っ手部３２は、外縁部２２の第１突出部２２ａよりも上方に突き出している。このため、使用者は両手で第１突出部２２ａの上方を通過して第１取っ手部３１および第２取っ手部３２を掴むことが容易となる。
【００４２】
また、第１取っ手部３１および第２取っ手部３２の平面状に構成された上端は、第１突出部２２ａよりも上方に突き出している。このため、使用者は両手の掌を第１取っ手部３１および第２取っ手部３２の平面状に構成された上端に載せることが容易となる。これにより、使用者は両手で第１取っ手部３１および第２取っ手部３２を掴むことがさらに容易となる。
【００４３】
本実施の形態に係るサイドテーブル１によれば、外縁部２２の第２突出部２２ｂは、本体部１０の上端よりも下方に突き出している。このため、本体部１０の上端と天板部２０との間に異物が挟まれることを抑制することができる。これにより、天板部２０の回転を維持することができる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４５】
１  サイドテーブル、１０  本体部、１１  周壁部、１２  底面部、１３  天井部、２０  天板部、２１  平板部、２１ａ  天面、２１ｂ  貫通孔、２１ｃ  筒状部材、２１ｄ  ワッシャ部材、２２  外縁部、２２ａ  第１突出部、２２ｂ  第２突出部、３１  第１取っ手部、３１ａ，３２ａ  ネジ、３２  第２取っ手部、４０  スラスト軸受、４１  第１軌道部材、４２  第２軌道部材、４３  転動体、ＣＡ  中心軸、ＲＡ  回転軸、ＲＡ１  第１軸、ＲＡ２  第２軸。
【図１】
0006972091.tif 000002
【図２】
0006972091.tif 000003
【図３】
0006972091.tif 000004
【図４】
0006972091.tif 000005
【図５】
0006972091.tif 000006
【図６】
0006972091.tif 000007
【図７】
0006972091.tif 000008
【図８】
0006972091.tif 000009
【図９】
0006972091.tif 000010
【図１０】
0006972091.tif 000011